(57)【要約】【課題】ボールクリーナなどの拭き取り材を受け渡しやすい拭き取り材収容ボールを提供する。【解決手段】拭き取り材収容ボールは、内部に拭き取り材を収容する枠体１０と、拭き取り材を枠体１０に取り付ける取付具とを備える。枠体１０は、拭き取り材を出し入れする開口部１１を有する。また、枠体１０は、開口部１１以外に、水又は他の液体が通過する液体通過開口部１２を有する。拭き取り材は、広げた展開状態よりも空気抵抗が小さい収縮状態で枠体１０に収納される。【選択図】図１
0003218508.tif 000002
【実用新案登録請求の範囲】
【請求項１】
内部に拭き取り材を収容する枠体と、
前記拭き取り材を前記枠体に取り付ける取付具と
を備え、
前記枠体は、前記拭き取り材を出し入れする開口部を有する拭き取り材収容ボール。
【請求項２】
前記枠体は、軟質の素材で構成された請求項１に記載の拭き取り材収容ボール。
【請求項３】
前記枠体は、前記開口部以外に、水又は液体が通過する液体通過開口部を有し、
前記枠体の内側にある前記拭き取り材が、前記開口部及び／又は該液体通過開口部を介して水又は液体を吸収するよう構成された請求項１又は２に記載の拭き取り材収容ボール。
【請求項４】
前記枠体は、該枠体の外側から内側への力により変形するよう構成され、
該枠体の外側から内側への力により該枠体の内側に収容された前記拭き取り材がしぼられて、水又は液体が前記前記開口部及び／又は該液体通過開口部を介して排出されるよう構成された請求項１乃至３のいずれかに記載の拭き取り材収容ボール。
【請求項５】
前記拭き取り材は、広げた展開状態よりも空気抵抗が小さい収縮状態で前記枠体に収納される請求項１乃至４のいずれかに記載の拭き取り材収容ボール。
【請求項６】
前記拭き取り材は、水分を吸収する水分吸収体である請求項１乃至５のいずれかに記載の拭き取り材収容ボール。
【請求項７】
前記取付具は、前記拭き取り材を着脱可能に前記枠体に取り付ける請求項１乃至６のいずれかに記載の拭き取り材収容ボール。
【請求項８】
前記開口部は、Ｓ字状又は逆Ｓ字状である請求項１乃至７のいずれかに記載の拭き取り材収容ボール。
【考案の詳細な説明】
【技術分野】
【０００１】
本考案は、拭き取り材収容ボールに係り、特に拭き取り材を内部に収容する拭き取り材収容ボールに関する。
【背景技術】
【０００２】
例えばゴルフコースにおいてゴルフをプレーする際に、ゴルフボールをタオルなどのボールクリーナで拭くことがある。これはゴルフボールについた汚れを落とす場合や、ゴルフボールに付着した芝などを落とすために行われる。特にグリーン上では、付着した芝がパット後のボールの進行方向に影響を及ぼし得るため、ゴルフボールを拭いて付着した芝などを落とすことがある。
【０００３】
また、ゴルフ以外のアウトドアのアクティビティにおいても、汚れや水分をタオルなどで拭き取ることがある。例えば、魚釣りなどのアクティビティにおいて、竿についた汚れや水分を拭き取ったり、針に餌を付ける際に汚れた手を拭いたりする場合がある。これらの付着物を落とす動作や、汚れや水分を拭き取る動作は、アウトドアのアクティビティに限らずインドアのアクティビティでも起こり得る。また、業務上の作業や通常の生活内でも起こり得る。
【０００４】
また、ゴルフクラブのヘッドの打球面に付着した泥や芝生又は水滴等を拭き取るためのクラブ掃除器が公開されている（例えば、特許文献１参照）。
【先行技術文献】
【特許文献】
【０００５】
【特許文献１】特開２００７−１３０３８２号公報
【考案の概要】
【考案が解決しようとする課題】
【０００６】
ゴルフをプレーする際には、複数人のグループでコースを回る。上述のようにグリーン上でゴルフボールを拭く動作は複数人で行われる場合がある。キャディが付く場合、キャディがボールクリーナを持ち、キャディがボールを拭いたり、プレーヤがキャディからボールクリーナを借りてボールを拭いたりする。プレーヤがボールを打つ際、すなわちボールを拭く際には、キャディはプレーヤの近くにいることが多い。
【０００７】
しかし、近年、キャディなしでプレーする、いわゆるセルフプレーをすることが多くなった。セルフプレーをする場合、ゴルフボールクリーナを他人から借りる場合もある。換言すると、各人がゴルフボールクリーナをそれぞれ持参してコースを回るのではなく、ゴルフボールクリーナをグループ内で共有する場合もある。このような場合、例えば、グリーン上では各人は自身のゴルフボールがある異なる場所にいることが多く、ゴルフボールクリーナをゴルフボールが位置する場所へ持っていかなければならなかった。
【０００８】
ゴルフボールクリーナを、投げて（軽くトスするなど礼儀的な範囲で）手渡そうとしても、通常、タオルのように空気抵抗が大きいことが多いため相手に届きにくい。
【０００９】
ゴルフの例に限らず、タオルなど、開いた状態（展開した状態）で空気抵抗が大きいものは投げて相手に渡しにくい。例えば、上述の釣りの場面においてもタオルなどを隣の人へ手渡したい場合がある。これのような課題は、他のアウトドア及びインドアのアクティビティ、業務上の作業、並びに、通常の生活内でも生じ得る。
【００１０】
本考案は、以上の点に鑑み、ボールクリーナなどの拭き取り材を受け渡しやすい拭き取り材収容ボールを提供することを目的とする。
【課題を解決するための手段】
【００１１】
本考案の一態様における拭き取り材収容ボールは、（ａ）内部に拭き取り材を収容する枠体と、（ｂ）拭き取り材を枠体に取り付ける取付具とを備え、（ｃ）枠体は、拭き取り材を出し入れする開口部を有する。
【考案の効果】
【００１２】
本考案によると、ボールクリーナなどの拭き取り材を受け渡しやすい拭き取り材収容ボールを提供することができる。例えば、拭き取り材を収容する拭き取り材収容ボールを投げて相手に渡すことができる。
【図面の簡単な説明】
【００１３】
【図１】第１実施形態に係る拭き取り材収容ボールの枠体の構成図。
【図２】取付具の一例を示す図。
【図３】拭き取り材の一例を示す図。
【図４】変形例における、拭き取り材を取り付けた状態を示す図。
【図５】第２実施形態に係る拭き取り材収容ボールの構成図。
【考案を実施するための形態】
【００１４】
以下、本考案の実施形態を、図面を参照して説明する。
【００１５】
１．第１実施形態
図１は、第１実施形態に係る拭き取り材収容ボールの枠体の構成図である。図１（ａ）は枠体１０の上面図、図１（ｂ）は枠体１０の底面図、及び、図１（ｃ）は枠体１０の側面図である。なお、説明の便宜上、上面図、底面図及び側面図等の用語を使用するが、必ずしも上、底（又は下）、側面（又は横）である必要はなく、例えば図１（ａ）が底面図であるなどと解釈することもできる。図２は、取付具の一例を示す図である。図３は、拭き取り材の一例を示す図である。図４は、拭き取り材を取り付けた状態を示す図であり、第１実施形態の変形例の構成を用いて示すものである。
【００１６】
拭き取り材収容ボール（以下、収容ボールともいう）は、枠体１０と取付具２０（図２）を備える。枠体１０は、内部に拭き取り材３０（図３）を収容する。取付具２０は、拭き取り材３０を枠体１０に取り付ける。拭き取り材３０は、ゴルフボールなどの拭き取り対象物を拭くものである。拭き取り材を取り付けた状態は、図４に示す収容ボールと同様である。
【００１７】
（枠体１０）
枠体１０は、自身の形状を保持でき、かつ、変形可能な素材（以下、軟質の素材という）で構成される。軟質の素材としては、例えば、ゴム、ポリ塩化ビニル（ＰＶＣ）、軟質のプラスチック等を用いることができる。枠体１０は、手で握るなど、枠体１０の外側から内側への力を加えることにより変形し、力を開放することで元の形状に戻るように構成される。また、軟質の素材を用いれば、収容ボールを投げた場合でも安全である。
【００１８】
枠体１０は、拭き取り材３０を出し入れするための開口部１１と、水又は他の液体が通過する少なくともひとつの液体通過開口部１２とを有する。また、枠体１０は、取付具２０を固定するための穴１３を有してもよい。後述する取付具２０の構造によっては、穴１３は省略してもよい。
【００１９】
開口部１１は、拭き取り材３０を枠体１０の内部に入れたり、枠体１０の内部から出したりするための開口である。拭き取り材３０が取付具２０により枠体１０に取り付けられている状態において、開口部１１を介して枠体１０の内部から拭き取り材３０を引き出して例えばボールを拭き、開口部１１を介して枠体１０の内部へ拭き取り材３０をしまう。開口部１１の径は、例えば枠体１０の最大径よりも小さい。換言すると、枠体１０は、傘状のような末広がりな形状ではないことが好ましい。このような構成により、枠体１０は拭き取り材３０を内部に保持可能である。開口部１１の径を、拭き取り材３０を枠体１０の内部に保持可能であり、かつ、拭き取り材３０を枠体１０に対して出し入れ可能なように適切に選ぶことができる。開口部１１の径によっては、取付具２０がなくても枠体１０は拭き取り材３０を内部の保持できるが、取付具２０があれば投げたり落としたりした場合にもより確実に拭き取り材３０を枠体１０の内部に保持できる。開口部１１の形状は、例えば円（図１）であるが、これに限らず適宜の形状でよい。円以外の例の一部を後述する。
【００２０】
液体通過開口部１２は、水又は他の液体が通過するための開口である。例えば、拭き取り材３０を取り付けた状態で収容ボール１を水又は他の液体に入れると、水又は他の液体が開口部１１だけでなく液体通過開口部１２を通過して拭き取り材３０を濡らす。換言すると、拭き取り材３０は水分又は液体を吸収する。一方、例えば、収容ボール１を手で握って枠体１０の外側から内側へ力を加えて拭き取り材３０をしぼると、拭き取り材３０に含まれていた水又は液体が開口部１１及び／又は液体通過開口部１２を介して外部に排出されるよう構成されている。なお、水以外の液体とは、例えば水に洗浄剤などを混ぜたものでもよい。図１の例では、液体通過開口部１２の形状は六角形及び五角形のいずれかで構成されているが、これに限らず適宜の形状でもよい。また、図１の例では液体通過開口部１２は枠体１０の全体に配置されているが、枠体１０の一部分に配置されてもよい。
【００２１】
（取付具２０）
取付具２０は、拭き取り材３０を枠体１０に、例えば着脱可能に取り付ける部材である。図２に、取付具２０の一例を示す。取付具２０についても、枠体１０と同様に軟質の素材で構成することができる。
【００２２】
図２に例示する取付具２０は、拭き取り材固定部２１と、枠体固定部２２と、頭部２３とを有する。拭き取り材固定部２１は、枠体１０の外側から枠体１０に設けられた穴１３を通り、枠体固定部２２が穴１３に引っかかって取付具２０が枠体１０に固定される。
【００２３】
拭き取り材固定部２１は、拭き取り材３０に設けられた穴、又は、拭き取り材３０に取り付けられた紐などで構成された輪（リング）を通り、液体通過開口部１２又は枠体１０に設けられた他の穴（図示せず）を通って、頭部２３に引っ掛けられる。これにより、拭き取り材３０が枠体１０に取り付けられる。枠体固定部２２の径は穴１３と同じ又は若干小さい径とすることができ、枠体固定部２２の両端の径は穴１３の径よりも大きい。穴１３の径よりも大きい枠体固定部２２の端部は、変形して穴１３を通ることが可能である。頭部２３は、拭き取り材固定部２１が引っ掛かる係止部を有する。係止部は例えば凹部や凸部（突起）で構成することができる。
【００２４】
なお、取付具２０は、図２に例示する取付具以外にも、拭き取り材３０を枠体１０に取り付ける適宜の構成でもよい。例えば、拭き取り材固定部２１は、拭き取り材３０を挟んで固定する把持部を有してもよい。また、取付具２０は、枠体１０と一体で構成されてもよい。
【００２５】
（拭き取り材３０）
図３は、拭き取り材３０の一例を示す図である。拭き取り材３０は、ボールなどの拭き取り対象物を拭くものである。拭き取り材３０の素材の例として、タオル地、布、不織物及び合成繊維などが挙げられるが、これらに限定されない。拭き取り材３０は、用途によっては、例えばボールクリーナ、クリーナー、クロス、拭き取りシート、ダスター、及び、ふきん等と称される場合もある。
【００２６】
拭き取り材３０は、広げた状態では例えば平面状であり、展開した展開状態（例えばタオルを広げた状態）と、収縮させた収縮状態（例えば折り畳んだり丸めたりした状態）に変形可能である。拭き取り材３０は収縮状態で枠体１０の内部に収納される。例えば、拭き取り材３０は、丸められて開口部１１から枠体１０の内部に押し込まれてもよいし、展開状態の拭き取り材３０が開口部１１から押し込まれて収縮状態になってもよい。拭き取り材３０は、収縮状態では展開状態より空気抵抗が小さい。したがって、拭き取り材３０を枠体１０の内部に収容した状態で収容ボール１を投げると、拭き取り材３０単体で投げるよりも空気抵抗の影響を受けず、目標場所へ容易に到達させることができる。
【００２７】
拭き取り材３０は、例えば、インナークロス固定部２１が通る取付穴３１を有する。拭き取り材３０は、例えば、水分を適度に吸収する水分吸収体であってもよい。換言すると、拭き取り材３０を濡らしてボールなどの対象物を拭くことができる素材でもよい。なお、拭き取り材３０の図３に例示する形状及び構成以外にも、適宜の形状及び構成でもよい。なお、拭き取り材３０は、市販のボールクリーナ、タオル、クロスなどを用いることもできる。
【００２８】
（変形例）
図４は、本実施形態の変形例における、拭き取り材を取り付けた状態を示す図である。図４は、変形例における枠体１０−２及び取付具２０−２を用いた収容ボール１において、拭き取り材３０を取り付けた状態を示すが、上述の第１の実施の形態において枠体１０および取付具２０を用いた収容ボール１についても、拭き取り材３０を取り付けた状態は同様である。
【００２９】
本変形例における収容ボール１は、枠体１０−２及び取付具２０−２を有する。枠体１０−２は、開口部１１−２の形状が円以外の例を示す。例えば、図４に示す開口部１１−２は、複数の液体通過開口部１２の区切りを切除して連続させることにより開口を形成した例である。また、図４に示す取付具２０−２は、拭き取り材固定部２１として把持部を用いた例を示す。図４において、拭き取り材３０は、枠体１０−２から取り出され、広げられた状態（展開状態）を示す。
【００３０】
２．第２実施形態
図５は、第２実施形態に係る収容ボールの構成図である。収容ボール１は、枠体１０−３と取付具２０−３を備える。枠体１０−３は、レモンを模した形状を有する。このように、枠体は、楕円形状、細長形状など、球体（又はほぼ球体）以外の適宜の形状で構成してもよい。第２実施形態において、開口部１１−３は、例えばＳ字状（又は逆Ｓ字状）である。このようにすると、複数の指を開口部１１−３から枠体１０−３の中に入れて拭き取り材３０を引き出しやすい。なお、開口部１１−３の形状及び位置は、図示の例に限らず、適宜の形状及び位置でもよい。
【００３１】
第２実施形態において、液体通過開口部１２−３は、例えば、枠体１０−３が模したレモンの形状（美観）を損なわない程度に小さく、かつ、枠体１０−３の一部に配置されている。例えば、取付具２０−３が枠体１０−３に取り付けられる位置と対向する側
に配置される。図５に示す形状の収容ボール１を握る際には、人間工学の観点から、取付具２０−３を上にして握ることが想定される。液体通過開口部１２−３をこのように配置することで、収容ボール１を水又は他の液体につけた後に握った際に、枠体１０−３の内部の水又は液体を排出しやすい。
【００３２】
取付具２０−３の頭部は、図５に示すように、例えば収容ボール１をゴルフバックなどに着脱可能に固定する固定部を有してもよい。その他の構成は、第１実施形態と同様であるので説明を省略する。
【００３３】
３．付記
本考案は、上述の第１及び第２実施形態、変形例に限定されず、適宜変形して構成してもよい。また、上述の第１及び第２実施形態、変形例を組み合わせて構成してもよい。
【産業上の利用可能性】
【００３４】
本考案は、例えば、ゴルフ用品、及び、釣りなどのアウトドア用品を製造販売する産業に利用可能である。
【符号の説明】
【００３５】
１  拭き取り材収容ボール
１０、１０−２、１０−３  枠体
１１、１１−２、１１−３  開口部
１２、１２−３  液体通過開口部
１３  穴
２０、２０−３  取付具
３０  拭き取り材
３１  取付穴
【図１】
0003218508.tif 000003
【図２】
0003218508.tif 000004
【図３】
0003218508.tif 000005
【図４】
0003218508.tif 000006
【図５】
0003218508.tif 000007